(57)【特許請求の範囲】
【請求項１】
電気回路制御保護器において、該電気回路制御保護器はケース、押しボタン、接触片、連動棒を包含し、
そのうち、該ケースは中空状を呈し、その上方に開口が設けられ、ケースの底面に少なくとも二つの接触端子が取り付けられ、ケース内部に接触部が設けられ、
該押しボタンは活動可能にケース上方の開口に枢設され、押しボタンが枢設部を軸心として揺動可能とされ、押しボタンに係止孔が設けられ、該係止孔に延伸溝が設置され、
該接触片は弾性を有する金属片体とされ、円弧状に形成され、片体の二側面に向けて跳動可能で、接触片が受熱時に変形し反対方向に湾曲し並びにもう一つの側面に向けて弾跳し、接触片の一端は一方の接触端子に固設され、別端に第１接点が設けられ、
該連動棒の一端が押しボタンの係止孔に活動可能に嵌設され、別端は活動可能に接触片を挟持し、連動棒の側辺に少なくとも一つの突出する延伸部が接続され、
回路が通電（ＯＮ）時に、押しボタンの係止孔の延伸溝が連動棒の端部に対応し、該延伸溝が連動棒の端部に自由移動の空間を提供し、また連動棒側辺の延伸部がケースの接触部端面に圧接され、連動棒の端部に係止孔の延伸溝方向への移動を保持させ、電流オーバーロード時に、接触片が受熱変形して反対方向に弾跳し、接触片が直接連動棒を押動して移動せしめ、該連動棒の押しボタンの係止孔に嵌設された端部が延伸溝中を自由に移動し、押しボタンの阻止を受けず、接触片が順調に跳脱し、電気回路の停電（ＯＦＦ）状態を形成することを特徴とする、電気回路制御保護器。
【請求項２】
請求項１記載の電気回路制御保護器において、ケースに少なくとも二つの接触端子が設置され、それぞれ第１、第２接触端子とされ、第１接触端子の上方の折り曲げ部が接触片の一端に固設され、第２接触端子の上方に第２接点が結合されたことを特徴とする、電気回路制御保護器。
【請求項３】
請求項１記載の電気回路制御保護器において、押しボタンの下方に延伸部が設けられ、この延伸部に係止孔が設けられたことを特徴とする、電気回路制御保護器。
【請求項４】
請求項１記載の電気回路制御保護器において、接触片が複合金属薄片とされたことを特徴とする、電気回路制御保護器。
【請求項５】
請求項１記載の電気回路制御保護器において、連動棒の端部に横棒が設けられ、連動棒の別端に挟持溝が設けられ、該連動棒の端部の横棒が押しボタンの係止孔に活動可能に嵌設され、別端の挟持溝が接触片の自由端を活動可能に挟持したことを特徴とする、電気回路制御保護器。
【請求項６】
請求項１記載の電気回路制御保護器において、延伸溝の端部に横棒が設けられ、連動棒の延伸部が斜めに折り曲げられ突出する翼板とされたことを特徴とする、電気回路制御保護器。
【発明の詳細な説明】
【技術分野】
【０００１】
本発明は一種の電気回路制御保護器に係り、特に、押しボタンと連動棒の間に延伸溝が設置されて、連動棒に自由移動の空間を提供し、電流オーバーロード時に、接触片が加熱により変形して反対方向に弾跳する時、接触片が該連動棒を押動せしめ、該連動棒の端部が延伸溝中を自由に移動し、押しボタンの阻止を受けず、接触片が順調に跳脱し、電気回路の自由跳動切断（ＯＦＦ）を形成し、電力使用の安全を確保する、電気回路制御保護器に関する。
【背景技術】
【０００２】
電源制御スイッチの操作では、電流回路の通電（ＯＮ）と切断（ＯＦＦ）の二種類の作動行程を実行する。通電（ＯＮ）及び切断（ＯＦＦ）の二種類の機能を実行するほか、現行では多くのスイッチ構造が、電流オーバーロード過熱時の自動跳脱停電の機能を具え、電流オーバーロード時の電流回路のヒューズ或いは切断器がリアルタイムに反応して停電或いは跳脱を実行できない危険を防止している。
【０００３】
各種の周知の電源制御スイッチの特許があり、例えば、本出願人による特許文献１−６等、枚挙に暇が無いが、これらの特許はいずれも以下のような共通の欠点を有している。
１．連動の部品が非常に多く、連動の行程が複雑で、押しボタンと末端部品間の非リアルタイム作動関係を発生し、また製造コストをアップさせる。
２．作動関係が不確実であり、故障確率が増し、消費者の使用と電力使用の安全性の面で不利である。
３．電流オーバーロード過熱時に、接触弾性片がリアルタイムに跳脱停電できないか或いは跳脱不完全であり、電気回路の電流が依然として導通状態となり、電気回路が続けて過熱状態とされて危険を形成する。
４．電流オーバーロード過熱時に、接触弾性片が半跳脱状態とされ、接触弾性片が冷却される時、再度通電状態の回復するが、反復する通電、停電が火花を形成し、危険をもたらす。且つ電流回路中の電子、電子機器設備が反復する通電、停電により、停止或いは正常運転不能となり、使用寿命が短縮され、損傷して使用不能となることもある。
【０００４】
確実に有効に電源制御スイッチ内部アセンブリの連動作動関係を実行し、電源制御スイッチアセンブリを簡易化し、製造コストを減らし、電流オーバーロード状態でリアルタイム反応により跳脱停電を行えるようにして電力使用の安全を強化するため、電源制御スイッチ構造の更なる研究は製造業者にとって重要な課題である。
【０００５】
【特許文献１】米国特許第５，２６２，７４８号明細書
【特許文献２】米国特許第４，１６７，７２０号明細書
【特許文献３】米国特許第４，９３７，５４８号明細書
【特許文献４】米国特許第５，２２３，８１３号明細書
【特許文献５】米国特許第５，４５１，７２９号明細書
【特許文献６】米国特許第５，５５８，２１１号明細書
【発明の開示】
【発明が解決しようとする課題】
【０００６】
本発明は一種の電気回路制御保護器を提供することを目的とし、それは、押しボタンと連動棒の間に延伸溝が設置されて、連動棒に自由移動の空間を提供し、電流オーバーロード時に、接触片が加熱により変形して反対方向に弾跳する時、接触片が該連動棒を押動せしめ、該連動棒の端部が延伸溝中を自由に移動し、押しボタンの阻止を受けず、接触片が順調に跳脱し、電気回路の自由跳動切断（ＯＦＦ）を形成し、電力使用の安全を確保するものとする。
【０００７】
本発明の別の目的は、一種の電気回路制御保護器を提供することにあり、それは、電流オーバーロード過熱時に、接触片が迅速に反応して跳脱し、且つそれは完全跳脱停電状態とされ、接触片が冷却される時に再度通電状態に回復するのを防止し、続けての反復通電、停電により火花を形成して危険をもたらすことがないものとする。
【０００８】
本発明の延伸目的は、電源制御スイッチ全体の連動する部品構成を簡易化し、組立を容易とし、製造コストを下げ、並びに電源制御スイッチの使用寿命を延長し、消費者の支出を減らすことにある。
【課題を解決するための手段】
【０００９】
請求項１の発明は、電気回路制御保護器において、該電気回路制御保護器はケース、押しボタン、接触片、連動棒を包含し、
そのうち、該ケースは中空状を呈し、その上方に開口が設けられ、ケースの底面に少なくとも二つの接触端子が取り付けられ、ケース内部に接触部が設けられ、
該押しボタンは活動可能にケース上方の開口に枢設され、押しボタンが枢設部を軸心として揺動可能とされ、押しボタンに係止孔が設けられ、該係止孔に延伸溝が設置され、
該接触片は弾性を有する金属片体とされ、円弧状に形成され、片体の二側面に向けて跳動可能で、接触片が受熱時に変形し反対方向に湾曲し並びにもう一つの側面に向けて弾跳し、接触片の一端は一方の接触端子に固設され、別端に第１接点が設けられ、
該連動棒の一端が押しボタンの係止孔に活動可能に嵌設され、別端は活動可能に接触片を挟持し、連動棒の側辺に少なくとも一つの突出する延伸部が接続され、
回路が通電（ＯＮ）時に、押しボタンの係止孔の延伸溝が連動棒の端部に対応し、該延伸溝が連動棒の端部に自由移動の空間を提供し、また連動棒側辺の延伸部がケースの接触部端面に圧接され、連動棒の端部に係止孔の延伸溝方向への移動を保持させ、電流オーバーロード時に、接触片が受熱変形して反対方向に弾跳し、接触片が直接連動棒を押動して移動せしめ、該連動棒の押しボタンの係止孔に嵌設された端部が延伸溝中を自由に移動し、押しボタンの阻止を受けず、接触片が順調に跳脱し、電気回路の停電（ＯＦＦ）状態を形成することを特徴とする、電気回路制御保護器としている。
請求項２の発明は、請求項１記載の電気回路制御保護器において、ケースに少なくとも二つの接触端子が設置され、それぞれ第１、第２接触端子とされ、第１接触端子の上方の折り曲げ部が接触片の一端に固設され、第２接触端子の上方に第２接点が結合されたことを特徴とする、電気回路制御保護器としている。
請求項３の発明は、請求項１記載の電気回路制御保護器において、押しボタンの下方に延伸部が設けられ、この延伸部に係止孔が設けられたことを特徴とする、電気回路制御保護器としている。
請求項４の発明は、請求項１記載の電気回路制御保護器において、接触片が複合金属薄片とされたことを特徴とする、電気回路制御保護器としている。
請求項５の発明は、請求項１記載の電気回路制御保護器において、連動棒の端部に横棒が設けられ、連動棒の別端に挟持溝が設けられ、該連動棒の端部の横棒が押しボタンの係止孔に活動可能に嵌設され、別端の挟持溝が接触片の自由端を活動可能に挟持したことを特徴とする、電気回路制御保護器としている。
請求項６の発明は、請求項１記載の電気回路制御保護器において、延伸溝の端部に横棒が設けられ、連動棒の延伸部が斜めに折り曲げられ突出する翼板とされたことを特徴とする、電気回路制御保護器としている。
【発明の効果】
【００１０】
本発明は周知の各種の電源制御スイッチ連動構造のアセンブリが複雑で、製造コストが高く、連動関係が間接的であり、連動行程反応が緩慢で電源制御スイッチが操作上故障が多い欠点を解決し、特に周知の電源制御スイッチが電流オーバーロード過熱時にリアルタイム跳脱停電（ＯＦＦ）不能であるか或いは跳脱不完全により回路が続けて通電過熱状態とされる問題、及び、オーバーロード過熱解決時に、接触弾性片が半跳脱状態とされ、接触弾性片が冷却される時に再度通電状態に回復し、持続する反復通電、停電が火花を形成し、危険をもたらす問題を解決する。
【００１１】
本発明は一種の電気回路制御保護器を提供し、それは、ケース、押しボタン、接触片、連動棒を包含し、そのうち、該ケースに押しボタンが取り付けられ、該押しボタンに係止孔が設けられ、該係止孔に延伸溝が設置され、連動棒の端部が活動可能に押しボタンの係止孔に取り付けられ、該連動棒の別端が活動可能に接触片に接続され、押しボタンが回路導通（ＯＮ）の位置にある時、係止孔の延伸溝が連動棒の端部に自由移動の空間を提供し、電流オーバーロード時に、接触片が加熱され変形し、反対方向に弾跳する時、接触片が連動棒を押動せしめ、該連動棒の端部が延伸溝中で自由に移動して押しボタンの阻止を受けず、接触片が順調に跳脱し、電気回路の完全停電（ＯＦＦ）を形成する。
【発明を実施するための最良の形態】
【００１２】
図１〜図３は本発明の実施例の組合せ断面図である。それは本発明の実施例の停電（ＯＦＦ）、通電（ＯＮ）及び電流オーバーロード時の接触片の反対方向の湾曲跳脱停電（ＯＦＦ）の状態を示す。本発明の電気回路制御保護器は、ケース１、押しボタン２、接触片３、連動棒４を包含する。
【００１３】
そのうち、該ケース１は中空状を呈し、その上方に開口が設けられ、ケース１の底面に少なくとも二つの接触端子が取り付けられ、本実施例では二つの接触端子が取り付けられ、それぞれ第１、第２接触端子１１、１２とされ、第１接触端子１１の上方の折り曲げ部が接触片３の一端に固設され、第２接触端子１２の上方に第２接点１２１が結合され、別にケース１内部に接触部１３が設けられ、該接触部１３は突出する板片とされる。
【００１４】
該押しボタン２はキャップ状体とされ、押しボタン２は活動可能にケース１上方の開口に枢設され、押しボタン２が枢設部を軸心として揺動可能とされる。押しボタン２の下方に延伸部２１が設けられ、該延伸部２１に係止孔２２が設けられ、該係止孔２２より外向きに延伸溝２３が延伸設置されている。
【００１５】
該接触片３は弾性を有する金属片体とされ、円弧状に形成され、片体の二側面に向けて跳動可能で、接触片３が受熱時に変形し反対方向に湾曲し並びにもう一つの側面に向けて弾跳する。接触片３の一端は第１接触端子１１に固設され、別端は自由端とされ、この自由端に第１接点が設けられている。該接触片３はまた複合金属薄片とされ得うる。図４及び図１〜図３を参照されたい。本発明の実施例の接触片３の自由端の凸片３０は円弧形弾性片３２の係止孔３２１に活動可能に係合され、該円弧形弾性片３２の別端は凹溝３２２により調整ネジ３３の環凹頸部３３１に活動可能に嵌合され、該調整ネジ３３はケース１に取り付けられ且つ調整ネジ３３の環凹頸部３３１はケース１内部に露出し、調整ネジ３３の移動の調整により、円弧形弾性片３２が適当な弾性力を具え、接触片３が一側面に向けて弾跳する時、確実に湾曲し並びに位置決めされる。
【００１６】
該連動棒４は長細板片状とされ、その一端部に横棒４１が設けられ、別端に挟持溝４２が設けられ、連動棒４の長細板片側辺に少なくとも一つの突出する延伸部４３が接続され、本実施例中、該延伸部４３は斜めに折り曲げられ突出する翼板とされる。連動棒４の横棒４１は押しボタン２の係止孔２２中に活動可能に嵌合され、連動棒４の別端の挟持溝４２は接触片３の自由端に活動可能に接続され、これについては図４を参照されたい。
【００１７】
本発明の一般の通電（ＯＮ）と停電（ＯＦＦ）の実施状態については図１を参照されたい。押しボタン２の右端を下向きに押圧する時、該押しボタン２の左端が起き上がり、連動棒４が接触片３を引き起し、接触片３の第１接点３１と第２接点１２１が分離し、停電（ＯＦＦ）状態が形成される。
【００１８】
押しボタン２の左端を下に押圧する時、連動棒４が接触片３を下に押動し、接触片３の第１接点３１が下向きに第２接点１２１と接触し、通電（ＯＮ）状態が形成され、これは図２に示されるとおりである。
【００１９】
このような反復して押しボタン２を押圧して揺動させて、連動棒４と押しボタン２を同時に作動させ、連動棒４により接触片３を押し引きして上下に湾曲跳動させることで、電気回路が通電（ＯＮ）或いは停電（ＯＦＦ）状態を形成する。
【００２０】
本発明の特徴は以下のとおりである。押しボタン２の係止孔２２に延伸溝２３が設置され、連動棒４の端部の横棒４１が押しボタン２の係止孔２２に活動可能に嵌設され、連動棒４の別端の挟持溝４２が接触片３を活動可能に挟持し、且つ連動棒４の側辺に突出する延伸部４３（斜めに折り曲げられた翼板）が設置されている。押しボタン２が回路導通（ＯＮ）の位置にある時、係止孔２２の延伸溝２３は連動棒４の端部の横棒４１に自由移動の空間を提供する。この時、連動棒４の側辺の延伸部４３（翼板）はケース１の接触部１３端面に圧接され、連動棒４端部の横棒４１に係止孔２２の延伸溝２３方向への移動を保持させる（図２）。電流オーバーロード時に、接触片３が受熱変形時に反対方向に弾跳し、接触片３が直接連動棒４を押動せしめ、該連動棒４の端部の横棒４１が延伸溝２３中を自由に移動し、これは図３に示されるようであり、係止孔２２或いは押しボタン２の阻止を受けず、接触片３が順調に跳脱し、電気回路の完全な停電（ＯＦＦ）状態を形成する。
【００２１】
本発明の作動過程は簡易化され、迅速である。電流オーバーロード時に、スイッチ構成部品の阻止を受けず、接触片３が順調に跳脱し、電気回路の完全な停電（ＯＦＦ）状態を形成し、確実に電力使用の安全性を達成できる。
以上に述べたように、本発明の部品構成、作動関係は確実に実用性を有し、並びにこれまでにない新設計であり、機能性と進歩性を具えている。
【図面の簡単な説明】
【００２２】
【図１】本発明の実施例の組合せ断面図であり、本発明の実施例の停電（ＯＦＦ）状態を示し、係止孔、延伸溝と連動棒の相対位置を示す局部拡大図と共に示している。
【図２】本発明の実施例の組合せ断面図であり、本発明の実施例の通電（ＯＮ）状態を示し、係止孔、延伸溝と連動棒の相対位置を示す局部拡大図と共に示している。
【図３】本発明の実施例の組合せ断面図であり、本発明の実施例の通電（ＯＮ）状態にあって電流オーバーロード時に、接触片が反対方向に湾曲し跳脱して連動棒を押動して自由移動させ、停電（ＯＦＦ）状態を形成する状態を示し、係止孔、延伸溝と連動棒の相対位置を示す局部拡大図と共に示している。
【図４】本発明の実施例の立体分解図であり、係止孔、延伸溝と連動棒の相対組合せ状態を示す。
【符号の説明】
【００２３】
１  ケース
１１  第１接触端子
１２  第２接触端子
１２１  第２接点
１３  接触部
２  押しボタン
２１  延伸部
２２  係止孔
２３  延伸溝
３  接触片
３０  凸片
３１  第１接点
３２  円弧形弾性片
３２１  係止孔
３２２  凹溝
３３  調整ネジ
３３１  凹環頸部
４  連動棒
４１  横棒
４２  挟持溝
４３  延伸部
【図１】
0004628203.tif 000002
【図２】
0004628203.tif 000003
【図３】
0004628203.tif 000004
【図４】
0004628203.tif 000005